(57)【要約】【課題】可動刃の刃体間に導入した毛髪の逃げ出しを抑制する刃体の形状を採用しつつも該刃体間への毛髪の導入性を向上させることができるバリカン刃を提供する。【解決手段】可動刃１５の刃体は、両側に切刃部２０ａ，２１ａが形成され先端側には先端側に向かうほど並設方向に次第に広がる幅広刃部２４，２５が形成された線対称形状をなす第１刃体２０及び第２刃体２１で構成される。第１刃体２０及び第２刃体２１は、その第２刃体２１が第１刃体２０より並設方向と直交する直交方向の長さが相対的に短く形成され交互に配置される。【選択図】図４
2010004994.tif 000002
【特許請求の範囲】
【請求項１】
刃体を複数並設してなる櫛状の固定刃と、刃体を複数並設し前記固定刃に対して並設方向に往復摺動可能に構成される櫛状の可動刃とを備え、前記固定刃の刃体と前記可動刃の刃体とで毛髪をその摺動方向に挟んで切断するように構成されたバリカン刃であって、
前記可動刃の刃体は、両側に切刃部が形成され少なくとも先端側には先端側に向かうほど前記並設方向に次第に広がる幅広刃部が形成された線対称形状をなす第１及び第２刃体で構成され、
前記第１及び第２刃体は、その第２刃体が前記第１刃体より前記並設方向と直交する直交方向の長さが相対的に短く形成され交互に配置されたことを特徴とするバリカン刃。
【請求項２】
請求項１に記載のバリカン刃において、
前記第２刃体は、その先端角部が前記第１刃体の先端角部における前記切刃部の垂線よりも先端側に位置する長さに設定されたことを特徴とするバリカン刃。
【請求項３】
請求項１又は２に記載のバリカン刃において、
前記第１及び第２刃体は、基端から中間部にかけて前記切刃部先端を前記刃体の幅方向中心線に向けて直線状に傾斜させ、前記中間部から先端側の前記幅広刃部では前記切刃部先端を前記刃体の幅方向中心線から離れるように直線状に傾斜するように形成されたことを特徴とするバリカン刃。
【請求項４】
請求項１〜３のいずれか１項に記載のバリカン刃と、該バリカン刃の可動刃を可動させる駆動源とを備えたことを特徴とする電動バリカン。
【発明の詳細な説明】
【技術分野】
【０００１】
本発明は、固定刃及び可動刃を備えてなるバリカン刃、及びそのバリカン刃を備えた電動バリカンに関するものである。
【背景技術】
【０００２】
従来、刃体を複数並設してなる櫛状の固定刃及び可動刃を重ね、可動刃を固定刃に対して往復摺動させることで、可動刃の刃体間に導入された毛髪を可動刃及び固定刃とで挟みこんで切断する電動バリカンがある。
【０００３】
例えば、特許文献１に開示された電動バリカンでは、可動刃の刃体の長手方向（刃体の並設方向と直交する直交方向）位置によって可動刃の各刃体の並設方向の間隙が異なるようになっている。具体的には、可動刃の刃体の長手方向における先端側に並設方向に広がるように形成される幅広刃部が設けられており、各刃体の先端側における並設方向の間隙が比較的狭くなっている。そのため、可動刃の刃体間に導入された毛髪が刃体間に留まり易く、刃体間の先端側から毛髪が逃げ出ることを抑制している。
【特許文献１】特開２００８−８０１１１号公報
【発明の開示】
【発明が解決しようとする課題】
【０００４】
しかしながら、上記の電動バリカンでは、幅広刃部が設けられ可動刃の刃体間の先端側における並設方向の間隙が狭くなるように刃体が形成されているため、毛髪を導入する際にその毛髪が可動刃の刃体の先端側である幅広刃部と接触し、導入すべき毛髪が刃体間に導入されにくくなるという問題がある。
【０００５】
本発明は、上記課題を解決するためになされたものであって、その目的は、可動刃の刃体間に導入した毛髪の逃げ出しを抑制する刃体の形状を採用しつつも該刃体間への毛髪の導入性を向上させることができるバリカン刃及び電動バリカンを提供することにある。
【課題を解決するための手段】
【０００６】
上記課題を解決するために、刃体を複数並設してなる櫛状の固定刃と、刃体を複数並設し前記固定刃に対して並設方向に往復摺動可能に構成される櫛状の可動刃とを備え、前記固定刃の刃体と前記可動刃の刃体とで毛髪をその摺動方向に挟んで切断するように構成されたバリカン刃であって、前記可動刃の刃体は、両側に切刃部が形成され少なくとも先端側には先端側に向かうほど前記並設方向に次第に広がる幅広刃部が形成された線対称形状をなす第１及び第２刃体で構成され、前記第１及び第２刃体は、その第２刃体が前記第１刃体より前記並設方向と直交する直交方向の長さが相対的に短く形成され交互に配置されたことをその要旨とする。
【０００７】
この発明では、可動刃の刃体は、両側に切刃部が形成され少なくとも先端側には先端側に向かうほど並設方向に次第に広がる幅広刃部が形成された線対称形状をなす第１及び第２刃体で構成されるため、刃体間に導入された毛髪が幅広刃部により刃体間に留まり易く、毛髪の逃げ出しを抑制することができる。そして、第１及び第２刃体は、その第２刃体が第１刃体より並設方向と直交する直交方向の長さが相対的に短く形成され交互に配置されるため、例えば可動刃の全ての刃体において直交方向の長さを同一長さとした場合と比較して、第１刃体及び第２刃体の幅広刃部の先端側における間隙を広くすることができ、毛髪の導入性を向上させることができる。更に、第２刃体は、第１刃体より直交方向の長さが短いため、毛髪が第２刃体の先端位置まで導入され、その後第１刃体の側面（切刃部）に当たって刃体間に導入され易くなり、毛髪の導入性向上に寄与することができる。
【０００８】
請求項２に記載の発明は、請求項１に記載のバリカン刃において、前記第２刃体は、その先端角部が前記第１刃体の先端角部における前記切刃部の垂線よりも先端側に位置する長さに設定されたことをその要旨とする。
【０００９】
この発明では、第２刃体は、その先端角部が第１刃体の先端角部における切刃部の垂線よりも先端側に位置する長さに設定される。これにより、例えば、可動刃の並設方向への往復摺動によって第１刃体の側面の切刃部にて毛髪が切断されずに弾かれる場合、その毛髪はその切刃部の垂直方向への力を受けて弾かれるため、第１刃体の先端角部における切刃部の垂線よりも先端側に位置する長さに設定された第２刃体側へと毛髪が弾かれ易くなる。そのため、弾かれた毛髪を固定刃の刃体と第２刃体とで毛髪を挟みこんで切断することが可能となる。
【００１０】
請求項３に記載の発明は、請求項１又は２に記載のバリカン刃において、前記第１及び第２刃体は、基端から中間部にかけて前記切刃部先端を前記刃体の幅方向中心線に向けて直線状に傾斜させ、前記中間部から先端側の前記幅広刃部では前記切刃部先端を前記刃体の幅方向中心線から離れるように直線状に傾斜するように形成されたことをその要旨とする。
【００１１】
この発明では、第１及び第２刃体は、基端から中間部にかけて切刃部先端を刃体の幅方向中心線に向けて直線状に傾斜させ、中間部から先端側の幅広刃部では切刃部先端を刃体の幅方向中心線から離れるように直線状に傾斜するように形成される。この場合、固定刃の刃体の切刃部も直線状とすることで、第１刃体及び第２刃体の切刃部と固定刃の刃体の切刃部とがなすはさみ角を適切な角度で常に一定にすることが容易にできる。そのため、容易に切断能力の向上を図ることができる。
【００１２】
請求項４に記載の発明は、請求項１〜３のいずれか１項に記載のバリカン刃と、該バリカン刃の可動刃を可動させる駆動源とを備えたことをその要旨とする。
この発明では、請求項１〜４のいずれか１項に記載のバリカン刃と、該バリカン刃の可動刃を可動させる駆動源とが備えられたことにより、請求項１〜４のいずれか１項に記載の効果と同様の効果を奏することができる電動バリカンを提供することができる。
【発明の効果】
【００１３】
本発明によれば、可動刃の刃体間に導入した毛髪の逃げ出しを抑制する刃体の形状を採用しつつも該刃体間への毛髪の導入性を向上させることができるバリカン刃及び電動バリカンを提供することができる。
【発明を実施するための最良の形態】
【００１４】
以下、本発明を具体化した一実施形態を図面に従って説明する。
図１（ａ）（ｂ）及び図２に示すように、本実施形態の電動バリカン１０は、基端側（図１（ａ）（ｂ）において下側）略半分が把持部１１をなすハウジング１２を有し、該ハウジング１２内の略中央部には駆動源としての電動モータ１３が収容されて固定されている。電動モータ１３の駆動力を伝達する駆動軸１３ａは、ハウジング１２の先端部に装着される刃ブロック１４まで延び、該刃ブロック１４の可動刃１５と駆動連結されている。
【００１５】
ハウジング１２内における電動モータ１３の基端側には、該モータ１３に電源供給を行う充電式のバッテリ１７が備えられ、該バッテリ１７近傍には制御回路１８が備えられている。また、ハウジング１２の把持部１１近傍の外周面には使用者が操作可能な操作スイッチ１９が備えられており、制御回路１８は、その操作スイッチ１９の操作に基づいてモータ１３の制御（例えばオン・オフ制御など）やバッテリ１７の充電制御を行っている。
【００１６】
そして、操作スイッチ１９の操作に基づいてモータ１３が駆動されると、該モータ１３の駆動力は駆動軸１３ａを介して刃ブロック１４の可動刃１５に伝達され、これにより刃ブロック１４では可動刃１５が固定刃１６に対して往復摺動し、可動刃１５と固定刃１６による毛髪の切断が行われるようになっている。尚、本実施形態では可動刃１５及び固定刃１６とでバリカン刃が構成されている。
【００１７】
図３及び図４に示すように、刃ブロック１４において、刃体１６ａを複数並設して櫛状に構成された固定刃１６と、刃体２０，２１を複数並設して櫛状に構成され固定刃１６に対して刃体２０，２１の並設方向に往復摺動可能に設けられる可動刃１５とが備えられている。因みに、可動刃１５は、ハウジング１２（図１参照）の外周面に設けられたダイヤル部材２２を回動させることで、固定刃１６の刃体１６ａの延びる方向に沿って進退可能に設けられ、これにより毛髪の刈り高さを調整することができるようになっている。
【００１８】
固定刃１６は、先細形状をなす同一形状の刃体１６ａを複数並設して櫛状に構成されており、各刃体１６ａの並設方向両側には切刃部１６ｂが形成されている。
可動刃１５は、前記固定刃１６の刃体１６ａよりも短く第１刃体２０と第２刃体２１とを交互に並設して櫛状に構成されている。各刃体２０，２１は、幅方向（並設方向）中心線Ｌ１に対して対称形状をなし、並設方向両側には切刃部２０ａ，２１ａが形成されている。切刃部２０ａ，２１ａは、可動刃１５の摺動方向に対して鋭角に傾斜したすくい面を有している。
【００１９】
また、第１刃体２０は、基端から中間部Ａまでが幅狭刃部２３、中間部Ａから先端側が幅広刃部２４で構成されている。幅狭刃部２３は、刃体２０の基端から中間部Ａにかけて刃体２０の幅方向中心線Ｌ１に向けて直線状に傾斜させ、基端から中間部Ａにかけて徐々に幅が狭く形成されている。幅広刃部２４は、刃体２０の中間部Ａから先端にかけて刃体２０の幅方向中心線Ｌ１から離れるように直線状に傾斜させ、中間部Ａから先端にかけて徐々に幅が広く形成されている。
【００２０】
第２刃体２１は、基端から中間部Ａまでが第１刃体２０と同形状の幅狭刃部２３、中間部Ａから先端側が幅広刃部２５で構成されている。この第２刃体２１の幅広刃部２５は、第１刃体２０の幅広刃部２４と比較して、並設方向と直交する直交方向の長さが並設方向において長さＸ分だけの段差を有するように短く形成されており、これにより第２刃体２１は第１刃体２０より直交方向の長さが短く形成されている。この場合、第２刃体２１は、その側面である切刃部２１ａの垂直方向先端に形成される先端角部２１ｂが、第１刃体２０の側面である切刃部２０ａの垂直方向先端に形成される先端角部２０ｂの直線状の切刃部２０ａに対して垂直な垂線Ｌ２よりも直交方向先端側に位置する長さに形成されている。
【００２１】
因みに、第１刃体２０及び第２刃体２１の各切刃部２０ａ，２１ａは、固定刃１６の切刃部１６ｂに対して傾斜してなるはさみ角αが毛髪を挟みこんで切断するのに好適な角度（例えば０度〜４０度の範囲で、特に２０度近傍）となるように形成されている。尚、図４では、第２刃体２１の幅狭刃部２３及び幅広刃部２５の切刃部２１ａについてのみ、はさみ角αを図示している。
【００２２】
そして、モータ１３の駆動により可動刃１５が固定刃１６に対して往復摺動されると、毛髪が可動刃１５の刃体２０，２１間に導入され、刃体２０，２１と固定刃１６の刃体１６ａとで挟みこんでその毛髪が切断される。この時、可動刃１５の刃体２０，２１間に導入された毛髪は幅広刃部２４，２５により刃体２０，２１間に留まりやすく、毛髪の逃げ出しが抑制される。更に、毛髪導入時においては、第２刃体２１が第１刃体２０より長さＸ分だけの段差を有するように直交方向において短く形成されているため、幅広刃部２４，２５の先端側における間隙が比較的広くなり、導入性の向上を図っている。これに加え、毛髪が第２刃体２１（幅広刃部２５）の先端位置まで導入され、その後第１刃体２０側へと流れて第１刃体２０の側面である切刃部２０ａに当たり、刃体２０，２１間に導入され易くなり、毛髪の導入性向上に寄与することができる。
【００２３】
次に、本実施形態の特徴的な作用効果を記載する。
（１）可動刃１５の刃体は、両側に切刃部２０ａ，２１ａが形成され先端側には先端側に向かうほど並設方向に次第に広がる幅広刃部２４，２５が形成された線対称形状をなす第１刃体２０及び第２刃体２１で構成されるため、刃体２０，２１間に導入された毛髪が幅広刃部２４，２５により刃体２０，２１間に留まり易く、毛髪の逃げ出しを抑制することができる。そして、第１刃体２０及び第２刃体２１は、その第２刃体２１が第１刃体２０より並設方向と直交する直交方向の長さが相対的に短く形成され交互に配置されるため、例えば可動刃１５の全ての刃体において直交方向の長さを同一長さとした場合と比較して、第１刃体２０及び第２刃体２１の幅広刃部２４，２５の先端側における間隙を広くすることができ、毛髪の導入性を向上させることができる。更に、第２刃体２１は、第１刃体２０より直交方向の長さが短いため、毛髪が第２刃体２１の先端位置まで導入され、その後第１刃体２０の側面である切刃部２０ａに当たって刃体２０，２１間に導入され易くなり、毛髪の導入性向上に寄与することができる。
【００２４】
（２）第２刃体２１は、その先端角部２１ｂが第１刃体２０の先端角部２０ｂにおける切刃部２０ａの垂線Ｌ２よりも先端側に位置する長さに設定される。これにより、例えば、可動刃１５の並設方向への往復摺動によって第１刃体２０の側面の切刃部２０ａにて毛髪が切断されずに弾かれる場合、その毛髪はその切刃部２０ａの垂直方向への力を受けて弾かれるため、第１刃体２０の先端角部２０ｂにおける切刃部２０ａの垂線Ｌ２よりも先端側に位置する長さに設定された第２刃体２１側へと毛髪が弾かれ易くなる。そのため、弾かれた毛髪を固定刃１６の刃体１６ａと第２刃体２１とで毛髪を挟みこんで切断することが可能となる。
【００２５】
（３）第１刃体２０及び第２刃体２１は、基端から中間部Ａにかけて切刃部２０ａ，２１ａ先端を刃体２０，２１の幅方向中心線Ｌ１に向けて直線状に傾斜させ、中間部Ａから先端側の幅広刃部２４，２５では切刃部２０ａ，２１ａ先端を刃体の幅方向中心線Ｌ１から離れるように直線状に傾斜するように形成される。この場合、固定刃１６の刃体１６ａの切刃部１６ｂも直線状とすることで、第１刃体２０及び第２刃体２１の切刃部２０ａ，２１ａと固定刃１６の刃体１６ａの切刃部１６ｂとがなすはさみ角αを適切な角度（２０度近傍）で常に一定にすることが容易にできる。そのため、容易に切断能力の向上を図ることができる。
【００２６】
尚、本発明の実施形態は、以下のように変更してもよい。
・上記実施形態では、可動刃１５の各刃体２０，２１の切刃部２０ａ，２１ａを２つの直線にて形成したが、これに限らず、例えば１つ若しくは３つ以上の直線にて形成してもよく、また図５に示すように、湾曲形状に形成してもよい。
【００２７】
・上記実施形態では、第２刃体２１の先端角部２１ｂを第１刃体２０の先端角部２０ｂにおける切刃部２０ａの垂線Ｌ２よりも先端側に位置するように第２刃体２１の長さを設定したが、これに限らず、垂線Ｌ２よりも短い長さに設定してもよい。
【図面の簡単な説明】
【００２８】
【図１】（ａ）（ｂ）は、本実施形態における電動バリカンの外観図である。
【図２】同上における電動バリカンの断面図である。
【図３】同上における刃ブロックの全体斜視図である。
【図４】同上における可動刃の形状について説明するための説明図である。
【図５】別例における可動刃の形状について説明するための説明図である。
【符号の説明】
【００２９】
１０…電動バリカン、１３…電動モータ（駆動源）、１５…可動刃、１６…固定刃、１６ａ…刃体、２０…第１刃体、２１…第２刃体、２０ａ…切刃部、２０ｂ…先端角部、２１ａ…切刃部、２１ｂ…先端角部、２４，２５…幅広刃部、Ａ…中間部、Ｌ１…幅方向中心線、Ｌ２…垂線。
【図１】
2010004994.tif 000003
【図２】
2010004994.tif 000004
【図３】
2010004994.tif 000005
【図４】
2010004994.tif 000006
【図５】
2010004994.tif 000007